(57)【要約】  大気に連通している第一室と従圧膜と協働するレバーによって操作される圧縮空気入口弁に連通している第二室とに箱形本体の内部を分割している前記従圧膜を備え且つ空気放出弁とマウスピース付きのチューブとを備える前記本体を具備する型の水中呼吸具用空気調整器であって、この空気調整器の前記箱形本体が少なくとも部分的に熱伝導性ポリマーで作られていることを特徴とする空気調整器。ポリアミドまたはポリカーボネートまたはＰＥＴ（ポリエチレンテレフタレート）またはＴＰＵ（熱可塑性ポリウレタン）等の母材を有しており、このポリマー母材中に分散されている金属充填材または黒鉛繊維充填材または炭素繊維充填材を前記母材が含んでいる、エンジニアリングポリマーから、使用される前記熱伝導性ポリマーが成っていることが好都合である。【特許請求の範囲】
【請求項１】
大気に連通している第一室と従圧膜と協働するレバーによって操作される圧縮空気入口弁に連通している第二室とに箱形本体の内部を分割している前記従圧膜を備え且つ空気放出弁とマウスピース付きのチューブとを備える前記本体を具備する型の水中呼吸具用空気調整器であって、
この空気調整器の前記箱形本体が少なくとも部分的に熱伝導性ポリマーで作られていることを特徴とする空気調整器。
【請求項２】
ポリアミドまたはポリカーボネートまたはＰＥＴ（ポリエチレンテレフタレート）またはＴＰＵ（熱可塑性ポリウレタン）等の母材を有しており、このポリマー母材中に分散されている金属粒子充填材または黒鉛繊維充填材または炭素繊維充填材を前記母材が含んでいる、エンジニアリングポリマーから、使用される前記熱伝導性ポリマーが成っている、請求項１に記載の空気調整器。
【請求項３】
特別な充填材を有する前記熱可塑性材料が、素地ポリマー母材の伝導率値よりも５〜１５倍大きな伝導率値を有することを特徴とする、請求項１及び／または２に記載の空気調整器。
【請求項４】
炭素繊維で強化されているエンジニアリングポリマーまたは金属充填材で強化されているエンジニアリングポリマーまたは黒鉛充填材で強化されているエンジニアリングポリマーまたはこれらのポリマーの混合物が伝導性エンジニアリングポリマーとして使用されていることが好ましいことを特徴とする、請求項１〜３の何れか１項に記載の空気調整器。
【請求項５】
使用される前記エンジニアリングポリマーが、ＬＡＴＩによって製造されているＬａｔｉｏｈｍという商品名、ＬＮＰによって製造されているＫｏｎｄｕｉｔという商品名、ＢＰ  ＡＭＯＣＯによって製造されているＴｈｅｒｍａｌ  Ｇｒａｐｈという商品名、及びＣＯＢＲＡＰＬＡＳＴによって製造されているＫｒａｉｌｏｎという商品名によって知られているポリマーである、請求項４に記載の空気調整器。
【請求項６】
実質的には上記請求項１〜５で請求されている様に、少なくとも部分的に伝導性エンジニアリングポリマーで作られている本体を有する、水中呼吸具用空気調整器、詳細には、必ずしもではないが、冷水中で使用するための空気調整器。
【発明の詳細な説明】
【技術分野】
【０００１】
本発明は、スキューバダイビング呼吸具用空気調整器、詳細には、必ずしもではないが、冷水中で使用するための空気調整器、に関するものである。
【背景技術】
【０００２】
冷水−この表現はゼロよりも二、三度高い温度の水を指していると理解されている−中で動作する空気調整器中で遭遇する主な欠点は、この空気調整器の従圧膜と関連するレバーによって開放される入口弁を介して一回の呼吸毎に空気調整器の室内へ供給される圧縮空気の膨張のために、そのレバーの近傍で温度が零下へ低下し、空気調整器の室内にある水蒸気が氷になり易くて、空気入口弁を操作するレバーの正常な動作を妨げるつまり妨害する危険がある、という事実にある。
【０００３】
現在のところ、空気調整器の本体は、金属またはプラスチックまたはプラスチック本体にある程度の熱伝導能力を付与するために内部に組み入れられているかもしくは挿入されている金属部品を有するプラスチックの何れかで作られている。
【０００４】
本体が完全に金属である空気調整器は、入口弁の領域における空気の上述の膨張によって引き起こされる空気調整器の僅かな温度低下を空気調整器の本体の比較的大きな金属質量が容易に吸収して分散させるので、上述の問題に全く影響されないかまたは僅かな程度しか影響されない。しかし、これらの空気調整器は、高価であり、比較的重く、特に形成段階中のそれらの成形に関してあまり融通がきかない。
【０００５】
一般にガラス繊維またはガラス小球体で強化されていてもいなくてもよいポリアミド、アセタール樹脂またはポリカーボネートの様なエンジニアリングポリマーで作られている、本体全体がプラスチック製の空気調整器は、高度の融通性を有しており、つまり成形中に容易に成形することができるかもしれないが、断熱性であって、このことは上述の問題の解決という観点からは大きな不都合である。
【０００６】
本出願人の名義の欧州特許第０７４２０３１Ｂ１号の主題になっている空気調整器の様な、プラスチック本体と金属インサートとを有する空気調整器は、製造費が過度に高いが、金属空気調整器とプラスチック空気調整器との両方の不都合を部分的に克服して、かなり許容できる妥協になっている。
【特許文献１】欧州特許第０７４２０３１Ｂ１号明細書
【０００７】
最後に、共にＳｐｉｒｏｔｅｃｈｎｉｑｕｅ  Ｉｎｄｕｓｔｒｉｅｌｌｅ  ｅｔ  Ｃｏｍｍｅｒｃｉａｌｅの名義の仏国特許第２６４４７５０号及び欧州特許第０５１２８８７Ｂ１号は、上述の欠点を克服するために、空気調整器の従圧膜と協働するレバーを、圧縮空気を空気調整器の室内へ導入するための弁から少し離して取り付けることを提案した。この目的のために、上述の特許によると、圧縮空気供給弁が現れる本体の端とは正反対の端まで、従圧膜と協働するレバーと関連していて空気入口弁の閉塞具を操作するロッドが空気調整器の本体の中で伸ばされた。更に、欧州特許第０５１２８８７Ｂ１号は、膨張弁を含む管状構成部分を金属で製造し、この管状構成部分の熱交換領域を増加させためにこの管状構成部分に放射状のフィンを備えることを提案した。
【特許文献２】仏国特許第２６４４７５０号明細書
【特許文献３】欧州特許第０５１２８８７Ｂ１号明細書
【発明の開示】
【発明が解決しようとする課題】
【０００８】
しかし、このシステムも高価で且つそれほど効率的ではないことが判明した。
【課題を解決するための手段】
【０００９】
本発明によると、ポリアミド、またはポリカーボネート、またはＰＥＴ（ポリエチレンテレフタレート）、またはＴＰＵ（熱可塑性ポリウレタン）等の母材を有し、種々の製造者によってしばしば特許を取得されており且つポリマーを良好な熱伝導体へ変換することのできる新規な技術を使用することでポリマー母材中に分散されている金属粒子または黒鉛繊維または炭素繊維で構成されている充填材を母材が含んでいる、新しいエンジニアリングポリマーの様な熱伝導性ポリマーで、空気調整器の本体を少なくとも部分的に製造することによって従来技術の不都合及び困難を克服することが考えられた。
【発明を実施するための最良の形態】
【００１０】
特別な充填材を有するこれらの熱可塑性材料の伝導率値は、ある種の材料の伝導率値よりもしばしば優れており、例えば、ステンレス鋼の伝導率値よりも優れていて、従来の充填材で強化されている場合でさえも、元のポリマーの伝導率値よりも１０−１５倍まで大きな伝導率値を有している。
【００１１】
これらの高伝導性ポリマーの幾つかの商品名は、ＬＡＴＩによって製造されているＬａｔｉｏｈｍ（炭素繊維強化エンジニアリングポリマー）、ＬＮＰによって製造されているＫｏｎｄｕｉｔ（金属充填材で強化されているエンジニアリングポリマー）、ＢＰ  ＡＭＯＣＯによって製造されているＴｈｅｒｍａｌ  Ｇｒａｐｈ（黒鉛充填材で強化されているエンジニアリングポリマー）、及びＣＯＢＲＡＰＬＡＳＴによって製造されているＫｒａｉｌｏｎ（黒鉛強化エンジニアリングポリマー）である。
【００１２】
水中呼吸具用の空気調整器の本体の製造のためにこれらの伝導性ポリマーを使用することによって、プラスチック本体の最高の融通性、軽さ及び成形の容易さという利点が、金属本体の高い熱伝導率特性という利点と共に、得られる。
【００１３】
金属空気調整器または金属インサート付きのプラスチック空気調整器では達成することがとても困難な、空気調整器の本体による熱の更に大きな放散のために、空気調整器の本体が放射状のフィンを好都合に備えてよいことは明らかである。
【手続補正書】
【提出日】平成19年1月5日(2007.1.5)
【手続補正１】
【補正対象書類名】特許請求の範囲
【補正対象項目名】全文
【補正方法】変更
【補正の内容】
【特許請求の範囲】
【請求項１】
大気に連通している第一室と従圧膜と協働するレバーによって操作される圧縮空気入口弁に連通している第二室とに箱形本体の内部を分割している前記従圧膜を備え且つ空気放出弁とマウスピース付きのチューブとを備える前記本体を具備する型の水中呼吸具用空気調整器であって、
この空気調整器の前記箱形本体が少なくとも部分的に熱伝導性ポリマーで作られていることを特徴とする空気調整器。
【請求項２】
ポリアミドまたはポリカーボネートまたはＰＥＴ（ポリエチレンテレフタレート）またはＴＰＵ（熱可塑性ポリウレタン）等の母材を有しており、このポリマー母材中に分散されている金属粒子充填材または黒鉛繊維充填材または炭素繊維充填材を前記母材が含んでいる、エンジニアリングポリマーから、使用される前記熱伝導性ポリマーが成っている、請求項１に記載の空気調整器。
【請求項３】
特別な充填材を有する前記熱可塑性材料が、素地ポリマー母材の伝導率値よりも５〜１５倍大きな伝導率値を有することを特徴とする、請求項２に記載の空気調整器。
【請求項４】
炭素繊維で強化されているエンジニアリングポリマーまたは金属充填材で強化されているエンジニアリングポリマーまたは黒鉛充填材で強化されているエンジニアリングポリマーまたはこれらのポリマーの混合物が伝導性エンジニアリングポリマーとして使用されていることが好ましいことを特徴とする、請求項２に記載の空気調整器。
【請求項５】
使用される前記エンジニアリングポリマーが、ＬＡＴＩによって製造されているＬａｔｉｏｈｍという商品名、ＬＮＰによって製造されているＫｏｎｄｕｉｔという商品名、ＢＰ  ＡＭＯＣＯによって製造されているＴｈｅｒｍａｌ  Ｇｒａｐｈという商品名、及びＣＯＢＲＡＰＬＡＳＴによって製造されているＫｒａｉｌｏｎという商品名によって知られているポリマーである、請求項４に記載の空気調整器。
【請求項６】
実質的には請求項５で請求されている様に、少なくとも部分的に伝導性エンジニアリングポリマーで作られている本体を有する、水中呼吸具用空気調整器。
【国際調査報告】
2008504163.tif 000002
2008504163.tif 000003